(57)【要約】【課題】  ＰＣ板等の壁パネルを躯体に対してロッキング可能に取り付ける。【解決手段】  壁パネル（ＰＣ板１）の上部内面側に荷重支持片４と連結片５を有するファスナー３を設け、躯体（ブラケット２３）に設けたダボピン２４に荷重支持片を係合させることにより、壁パネルの荷重を支持しつつ上方への変位を許容し面外方向の変位は拘束する。壁パネルの下部内面に突出せしめたアンカーボルト３０を連結片に対して締結して上下の壁パネルどうしを連結し、下段側の壁パネルに対する上段側の壁パネルの上下方向の変位と相対回転を許容しつつ面外方向の変位を拘束する。荷重支持片はダボピンを挿入するダボ穴９を有し、連結片はアンカーボルトの先端部を締結する締結部（締結プレート３２）や、上段側の壁パネルを面外方向に押し出して位置決めを行うための押しボルト１１を有する。【選択図】      図３
2006104735.tif 000002
【特許請求の範囲】
【請求項１】
壁パネルを躯体に対してロッキング可能に取り付けるための構造であって、
壁パネルの上部内面側に荷重支持片と連結片を有するファスナーを設け、
躯体に設けたダボピンに前記荷重支持片に設けたダボ穴を係合させることによって、壁パネルの荷重を支持するとともに躯体に対する壁パネルの上方への変位を許容しつつ面外方向の変位を拘束し、
その壁パネルの上段側に連続して取り付けられる他の壁パネルの下部内面にはアンカーボルトを突出せしめておいて、該アンカーボルトを前記ファスナーの連結片に対して上下方向の変位と面内相対回転を許容しつつ面外方向の変位を拘束する状態で締結することによって上下の壁パネルどうしを連結することを特徴とする壁パネルの取付構造。
【請求項２】
壁パネルを躯体に対してロッキング可能に取り付けるためのファスナーであって、
壁パネルの上部内面側に突出して設けられて躯体に対して係止されることで壁パネルの荷重を支持可能な荷重支持片と、該荷重支持片の基部より上方に立ち上げられて設けられて上段側に連続して取り付けられる他の壁パネルを連結することで上下の壁パネルどうしを連結可能な連結片とを有してなり、
前記荷重支持片は躯体に設けられたダボピンを挿入するダボ穴を有して、それらダボピンとダボ穴との係合により躯体に対する壁パネルの上方への変位が許容されつつ面外方向の変位が拘束可能とされ、
前記連結片は上段側の他の壁パネルの下端部内面側に突出しているアンカーボルトの先端部を締結可能な締結部を有して、それらの締結により連結片に対するアンカーボルトの上下方向の変位と面内相対回転を許容しつつ面外方向の変位が拘束可能とされていることを特徴とするファスナー。
【請求項３】
請求項２記載のファスナーであって、
連結片は上段側の壁パネルを面外方向に押し出してその位置決めを行うための押しボルトを有することを特徴とするファスナー。
【発明の詳細な説明】
【技術分野】
【０００１】
本発明は、ＰＣ板（プレキャストコンクリート板）等の各種の壁パネルを建物の外壁等として躯体に取り付けるための構造、およびそれに用いる壁パネル取付用のファスナーに関する。
【背景技術】
【０００２】
周知のように、建物の外壁としてＰＣ板等の壁パネルを採用する場合には、たとえば特許文献１に示されるようなファスナーを用いて躯体に対して取り付けることが一般的である。
【特許文献１】特開２０００−３５２１３７号公報
【０００３】
この種の壁パネルは万が一にも脱落することのないように躯体に対して確実に取り付ける必要があることは言うまでもないが、それのみならず地震時における建物の層間変形を吸収し得る状態で躯体に取り付ける必要がある。そのための取付構造としては、躯体に対する壁パネルの面内水平変位を許容するスウェー方式や、壁パネルを躯体に対して面内相対回転を許容する状態で取り付けるロッキング方式が従来一般に採用されている。
【発明の開示】
【発明が解決しようとする課題】
【０００４】
上記のように、この種の壁パネルは躯体に対してスウェー可能あるいはロッキング可能に取り付ける必要があることから、そのための取付構造やファスナーも複雑なものとならざるを得ず、従来一般には壁パネルの荷重を支持するためのファスナーと、壁パネルの面内水平変位あるいは面内相対回転を許容しつつ面外変位を拘束するためのファスナーとを併用することが主流となっている。したがって、従来一般のファスナーは多数の部品を組み合わせた複雑な形態のものが多く、必然的に製作コストが嵩んで高価にならざるを得ない。特に、従来においては建物外周部の躯体としての鉄骨梁の上下にそれぞれファスナーを取り付ける形式のものも多く、その場合には室内側から梁下部に対する溶接作業が必要であるので、そのために作業足場を必要とするし、上向き溶接となるので作業効率も良くないものであり、その点での有効な改善策が望まれているのが実情である。
【０００５】
上記事情に鑑み、本発明はＰＣ板等の壁パネルをロッキング方式により躯体に取り付ける場合に適用する有効な取付構造と、そのためのファスナーを提供することを目的としている。
【課題を解決するための手段】
【０００６】
請求項１の発明は、壁パネルを躯体に対してロッキング可能に取り付けるための構造であって、壁パネルの上部内面側に荷重支持片と連結片を有するファスナーを設け、躯体に設けたダボピンに前記荷重支持片に設けたダボ穴を係合させることによって、壁パネルの荷重を支持するとともに躯体に対する壁パネルの上方への変位を許容しつつ面外方向の変位を拘束し、その壁パネルの上段側に連続して取り付けられる他の壁パネルの下部内面にはアンカーボルトを突出せしめておいて、該アンカーボルトを前記ファスナーの連結片に対して上下方向の変位と面内相対回転を許容しつつ面外方向の変位を拘束する状態で締結することによって上下の壁パネルどうしを連結することを特徴とする。
【０００７】
請求項２の発明は、壁パネルを躯体に対してロッキング可能に取り付けるためのファスナーであって、壁パネルの上部内面側に突出して設けられて躯体に対して係止されることで壁パネルの荷重を支持可能な荷重支持片と、該荷重支持片の基部より上方に立ち上げられて設けられて上段側に連続して取り付けられる他の壁パネルを連結することで上下の壁パネルどうしを連結可能な連結片とを有してなり、前記荷重支持片は躯体に設けられたダボピンを挿入するダボ穴を有して、それらダボピンとダボ穴との係合により躯体に対する壁パネルの上方への変位が許容されつつ面外方向の変位が拘束可能とされ、前記連結片は上段側の他の壁パネルの下端部内面側に突出しているアンカーボルトの先端部を締結可能な締結部を有して、それらの締結により連結片に対するアンカーボルトの上下方向の変位と面内相対回転を許容しつつ面外方向の変位が拘束可能とされていることを特徴とする。
【０００８】
請求項３の発明は、請求項２の発明のファスナーであって、連結片は上段側の壁パネルを面外方向に押し出してその位置決めを行うための押しボルトを有することを特徴とする。
【発明の効果】
【０００９】
本発明の取付構造によれば、荷重支持片と連結片とが一体化されていてそれ自体で荷重支持機能と面外変位拘束機能を有するファスナーを用いることにより、壁パネルを躯体に対してロッキング可能な状態で確実強固に取り付けることができることはもとより、躯体に対する取り付け作業を極めて容易にかつ安全に行うことができ、施工性を大きく改善することができる。
【００１０】
本発明のファスナーは、荷重支持片と連結片とが一体化されていてそれ自体で荷重支持機能と面外変位拘束機能を有するものであるので、施工性を改善できるばかりでなく、従来の各種のファスナーに比較して単純な形態のものであって部品点数も少なく、簡単かつ安価に製作することができ、充分なコストダウンを図ることができる。また、連結片に押しボルトを設けておくことにより、上段側の壁パネルの位置決めを容易に行うことが可能である。
【発明を実施するための最良の形態】
【００１１】
本発明の実施形態を図１〜図３に示す。本実施形態は外壁用の壁パネルとしてのＰＣ板１を建物の外周部の躯体である鉄骨梁２に取り付ける場合の適用例であって、各ＰＣ板１を製作する際にその上部に予めファスナー３を設けておき、そのファスナー３によってこれらのＰＣ板１を鉄骨梁２に対してロッキング可能に取り付けるとともに、上下に連続して取り付けられるＰＣ板１どうしをファスナー３によって相互に連結するようにしたものである。
【００１２】
図３に示すように、ファスナー３は荷重支持片４と連結片５とを主体とするＬ状の金具であって、連結片５の背面側に当板６を介して溶接されたアンカープレート７およびアンカー筋８（図２（ａ）参照）がＰＣ板１に埋設されることで、荷重支持片４がＰＣ板１の内面側（鉄骨梁側）に突出し、かつ連結片５がこのＰＣ板１の上端よりさらに上方に突出する状態でＰＣ板１の上端部に強固に取り付けられているものである。
【００１３】
このファスナー３の荷重支持片４は矩形の鋼板からなり、その中心部には後述するダボピン２４が挿入可能なダボ穴９が形成されている。また、連結片５はその下端が荷重支持片４の基端部に溶接されてそこから立ち上げられた縦長矩形の鋼板であって、その上端部には後述するアンカーボルト３０を挿入するための縦長の連結溝１０が切り欠かれて形成され、その直下には上段側のＰＣ板１を位置決めするための押しボルト１１がナット１２に螺着されて取り付けられている。なお、荷重支持片４と連結片５との連結部には２枚の補強リブ１３が溶接されていて、このファスナー３はＰＣ板１を支持するに充分な強度と剛性を有するものとなっている。
【００１４】
一方、ＰＣ板１を取り付けるべき鉄骨梁２にはファスナー３に対応する位置に取付台２０および主補強リブ２１、補助補強リブ２２からなる鉄骨造のブラケット２３が設けられ、取付台２０の上面には上方に突出するダボピン２４が設けられている。ダボピン２４の基端部周囲には補強板２５が設けられ、その補強板２５上にはＰＣ板１のレベル調整のためのライナープレート２６が積層され、その上にファスナー３の荷重支持片４を溶接して固定するための固定プレート２７が装着されるようになっている。
【００１５】
ライナープレート２６は所望厚さのものが所望枚数積層されることで上段側のＰＣ板１のレベルを適正に設定するものであり、それらライナープレート２６は取付台２０に溶接されたストッパー２８によってその位置ずれが防止されるようになっている。
【００１６】
固定プレート２７にはダボピン２４がほぼきっちりと挿通する中心孔が形成されていて、その中心孔にダボピン２４を通すことでダボピン２４に対する固定プレート２７の水平各方向への変位は拘束されるが、固定プレート２７の上方へ変位（浮き上がり）は許容されるようになっている。そして、その固定プレート２７に対してＰＣ板１に取り付けられているファスナー３の荷重支持片４が溶接されることにより、ＰＣ板１はダボピン２４によって面外方向への変位が拘束されつつ上方への若干の変位は許容されるようになっており、これによりＰＣ板１はファスナー３およびブラケット２３を介して鉄骨梁２から安定に支持されつつ、地震時にはロッキング可能となっていて建物に生じる層間変形を吸収できるものとなっている。なお、ダボピン２４からファスナー３が脱落してしまうことのないようにダボピン２４の長さを想定される変位量に対して充分に余裕をもって設定すれば良いが、必要であれば脱落防止用の適宜のストッパーを設けるようにしても良い。
【００１７】
また、ＰＣ板１の下部にはアンカーボルト３０が埋設されていてその先端部はＰＣ板１の下端部から内側に突出し、その基部には上記の押しボルト１１の先端が当接する位置決めプレート３１が取り付けられている。アンカーボルト３０の先端部は下段側のＰＣ板１のファスナー３における連結片５の連結溝１０内に挿入され、そのアンカーボルト３０の先端部には、縦長穴３２ａを有する締結プレート３２、滑り材３３、ワッシャー３４を介してナット３５が螺着されるとともに、上記の締結プレート３２が連結片５の上端部に溶接され、その締結プレート３２を締結部としてそこにアンカーボルト３０が締結されるようになっている。これにより、上下のＰＣ板１どうしが連結片５およびアンカーボルト３０を介して連結されてそれらの面外方向の相対変位は拘束されるが、上記のようなＰＣ板１のロッキングが生じた際には連結片５に対する上段側のＰＣ板１の上下方向の相対変位および面内相対回転が締結プレート３２の縦長穴３２ａの範囲内で支障なく許容されるようになっている。
【００１８】
上記構造でＰＣ板１を取り付けるには、ＰＣ板１の製作時にその上部にファスナー３を取り付けておくとともに、ＰＣ板１の下部にはアンカーボルト３０を取り付けておく（図示例では各ＰＣ板１にファスナー３およびアンカーボルト３０を２つずつ取り付けている）。また鉄骨梁２にはファスナー３に対応する位置にブラケット２３を取り付けるとともに、ブラケット２３の上面にはダボピン２４と補強板２５とを予め溶接しておく。そして、ブラケット２３の周囲のみを残してスラブ４０を施工した後、そのスラブ４０上からの作業によりＰＣ板１のレベル調整のために所望厚さのライナープレート２６を補強板２５上に所望枚数積層するとともに、ダボピン２４に固定プレート２７を装着しておく。
【００１９】
しかる後に、クレーン等によりＰＣ板１を吊り上げ、ブラケット２３の直上位置からファスナー３を徐々に吊り下ろしていき、ファスナー３の荷重支持片４のダボ穴９にダボピン２４を挿入すると同時に、後述するようにこのＰＣ板１の下端部に設けられているアンカーボルト３０を下段側に既に取り付けられているＰＣ板１のファスナー３の連結片５における連結溝１０に挿入する。そして、荷重支持片４を固定プレート２７に溶接して固定するとともに、アンカーボルト３０を下段のファスナー３の連結片５に対して締結する。これにより、ＰＣ板１はファスナー３およびブラケット２３を介して鉄骨梁２から支持された状態でロッキング可能に取り付けられ、かつ下段のＰＣ板１に対してロッキングが許容される状態で連結される。
【００２０】
次に、このＰＣ板１の上段側に他のＰＣ板１を取り付ける際には、その上段側のＰＣ板１の下部に設けておいたアンカーボルト３０をファスナー３の連結片５の連結溝１０に挿入し、その先端部に締結プレート３２を装着して連結片５に溶接し、さらに滑り材３３、ワッシャー３４、ナット３５を装着する。そして、ＰＣ板１の面外方向の位置決めを押しボルト１１により行い、アンカーボルト３０を引きボルトとしてナット３５により締結プレート３２を介して連結片５に対して締結する。これにより、上述のように上下のＰＣ板１どうしが連結片５を介してロッキングが許容される状態で連結される。
【００２１】
以上のようにしてＰＣ板１を取り付けた後は、ファスナー３の周囲にロックウールを吹き付けてからコンクリートを充填することにより、鉄骨梁２とＰＣ板１との隙間を塞ぐようにスラブ４０の仕上げを行い、必要に応じて鉄骨梁２やブラケット２３に耐火被覆４１（図２（ａ）参照）を施す。
【００２２】
上記のファスナー３により上記の構造でＰＣ板１を鉄骨梁２に取り付けることにより、ＰＣ板１を鉄骨梁２に対してロッキング可能な状態で確実強固に取り付けることができることはもとより、鉄骨梁２に対する取り付け作業はスラブ４０上からの作業のみで行うことができるし、従来のように上向き溶接も不要であるから、その作業は足場を必要とすることなく極めて容易にかつ安全に行うことができる。
【００２３】
また、上記のファスナー３は荷重支持片４と連結片５とを一体化してそれ自体で荷重支持機能と面外変位拘束機能を有するものであるので、従来の各種のファスナーに比較して単純な形態のものであって部品点数も少なく、したがって簡単かつ安価に製作することができるものであり、上記のように施工性を改善できることと相まって充分なコストダウンを図ることができる。
【００２４】
なお、上記実施形態ではＰＣ板１を鉄骨梁２に設けたブラケット２３により支持するようにしたが、ブラケット２３を省略してＰＣ板１を鉄骨梁２で直接支持することも可能であるし、鉄骨梁２のみならずスラブその他の躯体から支持することも可能であり、たとえばダボピン２４をスラブ４０上に突出させて設けておくことも考えられる。
【００２５】
また、上記実施形態はＰＣ板１を外壁として建物に取り付ける場合の適用例であるが、本発明はＰＣ板１に限らず各種の壁パネルをロッキング方式で建物に取り付ける場合、つまり壁パネルをカーテンウォールとして取り付ける場合に広く適用可能であり、その壁パネルの素材や寸法、重量、それを取り付けるべき躯体の構造や形態に応じて、壁パネルの１枚当たりのファスナー数を増減することをはじめとして、ファスナーの具体的な構成やそれによる取付部の細部構造等は、本発明の主旨を逸脱しない範囲での様々な変更が可能であることは言うまでもない。
【００２６】
一例をあげれば、上記実施形態では連結片５の上端部に縦長穴３２ａを有する締結プレート３２を溶接し、その締結プレート３２を締結部としてアンカーボルト３０を締結して縦長穴３２ａの範囲内で上下方向の変位と面内相対回転を許容するようにしたが、締結プレート３２を省略して、連結溝１０に挿入したアンカーボルト３０をそのまま連結片５に対して直接締結し、その連結溝１０内において上下方向に変位させかつ面内相対回転させるように構成することも可能であり、その場合には連結溝１０を形成した連結片５の上端部がそのまま締結部となるのでより簡略な構成となる。なお、連結片５に形成する連結溝１０を縦長の長穴に変更することも考えられる。
【図面の簡単な説明】
【００２７】
【図１】本発明の実施形態である取付構造によりＰＣ板を取り付けた状態を示す図である。
【図２】同、ファスナーおよびそれによる取付構造の詳細を示す図である。
【図３】同、躯体に対するＰＣ板の取付状態を示す分解斜視図である。
【符号の説明】
【００２８】
１  ＰＣ板（壁パネル）
２  鉄骨梁（躯体）
３  ファスナー
４  荷重支持片
５  連結片
６  当板
７  アンカープレート
８  アンカー筋
９  ダボ穴
１０  連結溝
１１  押しボルト
１２  ナット
１３  補強リブ
２０  取付台
２１  主補強リブ
２２  補助補強リブ
２３  ブラケット（躯体）
２４  ダボピン
２５  補強板
２６  ライナープレート
２７  固定プレート
２８  ストッパー
３０  アンカーボルト
３１  位置決めプレート
３２  締結プレート（締結部）
３２ａ  縦長穴
３３  滑り材
３４  ワッシャー
３５  ナット
４０  スラブ
４１  耐火被覆
【図１】
2006104735.tif 000003
【図２】
2006104735.tif 000004
【図３】
2006104735.tif 000005